(57)【要約】      （修正有）【課題】簡易な構成で載せた荷物が落下しないようにでき、また段差や階段があった場合には、荷物を持ち上げればその荷物と台車とが一体的に持ち上がるようにできる荷物固定式台車を提供する。【解決手段】荷物を載せて運搬する台車１００であって、荷物を載せる載置面１０１の所定の位置に第１の吸着部材１０２を設け、荷物の底面の所定の位置に前記第１の吸着部材と接触または非接触で吸着し合う第２の吸着部材を貼り付け、前記荷物を前記載置面に乗せたとき、前記載置面側の第１の吸着部材と前記荷物の底面側の第２の吸着部材とが吸着し合うことにより前記荷物を前記載置面上で固定し落下を防止するようにする。吸着部材としては、磁石、面ファスナー、または吸盤などを用いる。【選択図】図１
0003129451.tif 000002
【実用新案登録請求の範囲】
【請求項１】
荷物を載せて運搬する台車であって、
前記荷物を載せる載置面の所定の位置に第１の吸着部材を設け、
前記荷物の底面の所定の位置に前記第１の吸着部材と接触または非接触で吸着し合う第２の吸着部材を貼り付け、
前記荷物を前記載置面に乗せたとき、前記載置面側の第１の吸着部材と前記荷物の底面側の第２の吸着部材とが吸着し合うことにより前記荷物を前記載置面上で固定し落下を防止することを特徴とする荷物固定式台車。
【請求項２】
請求項１に記載の荷物固定式台車において、
前記第１および第２の吸着部材は、磁石、面ファスナー、または吸盤であることを特徴とする荷物固定式台車。
【考案の詳細な説明】
【技術分野】
【０００１】
本考案は、各種の物を載せて運搬する荷物固定式台車に関する。
【背景技術】
【０００２】
従来より、各種の物を載せて運搬する運搬用台車が知られている。運搬用台車では、載せた物が落下しないように各種の工夫が考えられている。例えば、下記特許文献１〜４に記載されたようなものである。
【０００３】
特許文献１には、ポリバケツなどの容器がひっくり返ることのないように、容器を載せたときにその容器を側面から支える挟持部を設けた容器積載運搬用台車が開示されている。特許文献２には、運搬している最中に積載した容器が落下しないように、台車の荷物載置面上に凸条を周設し、さらに凹部を設けて該凹部に容器の底部が嵌合した状態で当該容器を積載できるようにした台車が開示されている。特許文献３には、積載貨物を台車上に確実に位置決めして移送中の位置ずれや脱落を防止するため、載置面にリブや凹所を設けた運搬用台車が開示されている。特許文献４には、荷物を載せる載置面に帯状あるいはシート状の防滑材を融着し、これにより積載物の落下を防ぐようにした運搬用台車が開示されている。
【特許文献１】特開平８−９９６３７
【特許文献２】特開平８−１３３０９０
【特許文献３】特開２０００−２１１５２４
【特許文献４】特開２００１−１３８９２３
【考案の開示】
【考案が解決しようとする課題】
【０００４】
上述の従来技術は、載置面上に凹部やリブや凸条などを設けたり、防滑材を融着したり、容器を側面から支える挟持部を設けたりするものであり、そのように構成すること自体が面倒である。また、台車に荷物を載せて運搬している経路途中に段差や階段がある場合、その段差や階段を上ったり降りたりする際には、台車部分を持ち上げることにより台車と荷物の全体を持ち上げるか、または一旦荷物を台車から降ろして別々に移動させなければならない。従来技術では、台車に載せた荷物を持ち上げると、その荷物が台車から分離されて持ち上がってしまい、台車と荷物を一体的に持ち上げることができないからである。
【０００５】
本考案は、簡易な構成で載せた荷物が落下しないようにでき、また段差や階段があった場合には、荷物を持ち上げればその荷物と台車とが一体的に持ち上がるようにできる荷物固定式台車を提供することを目的とする。
【課題を解決するための手段】
【０００６】
上記目的を達成するため、請求項１に係る考案は、荷物を載せて運搬する台車であって、前記荷物を載せる載置面の所定の位置に第１の吸着部材を設け、前記荷物の底面の所定の位置に前記第１の吸着部材と接触または非接触で吸着し合う第２の吸着部材を貼り付け、前記荷物を前記載置面に乗せたとき、前記載置面側の第１の吸着部材と前記荷物の底面側の第２の吸着部材とが吸着し合うことにより前記荷物を前記載置面上で固定し落下を防止することを特徴とする。
【０００７】
請求項２に係る考案は、請求項１に記載の荷物固定式台車において、前記第１および第２の吸着部材は、磁石、面ファスナー、または吸盤であることを特徴とする。一方の吸着部材に磁石を用いたときは、他方の吸着部材は、該磁石に吸着する鉄などの金属板でもよい。
【考案の効果】
【０００８】
本考案によれば、台車側にはその載置面の所定位置に第１の吸着部材を設け、荷物の底面にはその所定の位置に前記第１の吸着部材と接触または非接触で吸着し合う第２の吸着部材を貼り付けるだけであるので、構成が簡単である。また、台車に荷物を載せた状態では、台車側の第１の吸着部材と荷物側の第２の吸着部材とが吸着しあうため、荷物を持ち上げると台車も一体的に持ち上がる。従って、段差や階段の昇降の際にも台車を意識せずに荷物を持ち上げて移動することができ便利である。吸着部材として磁石を用いれば、荷物を載せるときに荷物の底面の第２の吸着部材（磁石）が台車の第１の吸着部材（磁石）と引き合って自然に位置付けされて載せることができる。
【考案を実施するための最良の形態】
【０００９】
以下、図面を用いて本考案を実施するための一形態例を説明する。
【００１０】
図１は、本考案の一実施形態に係る荷物固定式台車の外観を示す。荷物固定式台車１００は、基板１０１の中央部に磁石１０２を埋め込んだものである。１０３はキャスター、１０４は台車自体を持ち運ぶ際の取っ手部である。
【００１１】
図２（ａ）および（ｂ）は、図１の台車の基板１０１から磁石１０２を取り外した状態を示す。図２（ａ）は上面図、図２（ｂ）はＸ−Ｙ断面図である。基板１０１の中央部に円形のくり貫き部分２０１が設けてある。図２（ｃ）は、このくり貫き部分２０１に埋め込むリング形状の磁石２１２（図１の１０２）を示す。図２（ｄ）は、基板１０１のくり貫き部分２０１に磁石２１２を埋め込んだ状態を示す断面図である。２１３は磁石２１２を埋め込んだ上にフィルム上のシートを貼り付けたものである。このようなシート２１３を貼り付けておくことにより、磁石２１２を埋め込んだくり貫き部分２０１にゴミなどが入ることが防止できる。なお、くり貫き部分２０１に磁石２１２を埋め込む方法はどのようなものでもよい。例えば、くり貫き部分２０１の底面に接着剤を塗り、磁石２１２を接着する方法をとればよい。
【００１２】
図３（ａ）は、荷物の底面に貼り付ける磁石３１１を示す。磁石３１１の一面（図で斜線を入れた面）には予め両面テープ３１２を貼り付けておく。図３（ｂ）および（ｃ）は荷物３０１を示す。荷物３０１の底面に、前記両面テープ３１２で磁石３１１を貼り付ける。なお、磁石３１１の代わりに、磁石１０２に吸着する鉄などの金属板を用いてもよい。磁石３１１を用いる場合は、現場で釘やビスなどを吸いつけてしまう不都合があるが、これを鉄などの金属板に置き換えれば、そのような不都合は解消される。
【００１３】
図４は、図３（ｃ）のように底面に磁石３１１を貼り付けた荷物３０１を図１の台車１００に載せた様子を示す。載せる際には、荷物３０１を持ち上げ、その荷物３０１の底面の磁石３１１を台車１００の磁石１０２に近づければ、磁石１０２と３１１との吸引力により自然に荷物３０１が位置づけられて図４に示すように台車上に載置される。これ以後は、荷物３０１に手をかけて移動することができる。段差や階段があった場合は、荷物３０１を持ち上げれば、台車１００は磁石の吸引力によりそのまま着いて持ち上がるので、荷物３０１と台車１００とを一体的に運べる。
【００１４】
図４の状態から荷物３０１と台車１００とを分離する場合は、例えば取っ手部１０４に足を掛けながら荷物３０１を持ち上げればよい。
【００１５】
なお、上記実施形態では磁石を用いたが、磁石の代わりに、例えばマジックテープ（登録商標）などの面ファスナーや、吸盤などを用いてもよい。
【図面の簡単な説明】
【００１６】
【図１】本考案の一実施形態に係る荷物固定式台車の外観図
【図２】台車の基板と磁石を示す図
【図３】荷物側に貼り付ける磁石と荷物を示す図
【図４】台車に荷物を載せた様子を示す図
【符号の説明】
【００１７】
１００…荷物固定式台車、１０１…基板、１０２…磁石、１０３…キャスター、１０４…取っ手部。
【図１】
0003129451.tif 000003
【図２】
0003129451.tif 000004
【図３】
0003129451.tif 000005
【図４】
0003129451.tif 000006